(57)【要約】【課題】テープの識別性が向上した紙葉類処理装置を提供する。【解決手段】紙葉類処理装置（紙幣処理装置１）は、紙葉類を間に挟んで巻き取られるテープを有しかつ、紙葉類を収納するよう構成された第１収納部と、紙葉類を間に挟んで巻き取られるテープを有しかつ、紙葉類を収納するよう構成された第２収納部と、を備える。第１収納部のテープと、第２収納部のテープとは、テープの色、並びに、テープに付された文字、図形、記号及び模様、のうちの少なくとも一が相違している。【選択図】図１
2018036892.tif 000002
【特許請求の範囲】
【請求項１】
紙葉類を間に挟んで巻き取られるテープを有しかつ、前記紙葉類を収納するよう構成された第１収納部と、
前記紙葉類を間に挟んで巻き取られるテープを有しかつ、前記紙葉類を収納するよう構成された第２収納部と、を備え、
前記第１収納部の前記テープと、前記第２収納部の前記テープとは、前記テープの色、並びに、前記テープに付された文字、図形、記号及び模様、のうちの少なくとも一が相違している紙葉類処理装置。
【請求項２】
前記第１収納部の前記テープと、前記第２収納部の前記テープとは、長さが相違している請求項１に記載の紙葉類処理装置。
【請求項３】
前記第１収納部の前記テープと、前記第２収納部の前記テープとは、材質が相違している請求項１又は２に記載の紙葉類処理装置。
【請求項４】
前記第１収納部と、前記第２収納部とは、役割が相違している請求項１〜３のいずれか１項に記載の紙葉類処理装置。
【請求項５】
前記第１収納部は、前記紙葉類を一時的に収納する役割の一時保留部であり、前記第２収納部は、前記紙葉類を種類別に収納する役割の種類別収納部である請求項４に記載の紙葉類処理装置。
【請求項６】
前記第１収納部は、前記紙葉類を種類別に収納する役割の種類別収納部であり、前記第２収納部は、前記第１収納部に収納することができない紙葉類を収納する役割の多目的収納部である請求項４に記載の紙葉類処理装置。
【請求項７】
前記第１収納部に収納する紙葉類と、前記第２収納部に収納する紙葉類とは、種類が相違している請求項１〜３のいずれか１項に記載の紙葉類処理装置。
【請求項８】
前記紙葉類は紙幣であり、
前記第１収納部は、所定の一金種の紙幣を収納し、前記第２収納部は、複数の金種の紙幣を収納する請求項７に記載の紙葉類処理装置。
【請求項９】
前記紙葉類は紙幣であり、
前記第１収納部は、正券を収納し、前記第２収納部は、損券を収納する請求項７に記載の紙葉類処理装置。
【請求項１０】
前記紙葉類は紙幣であり、
前記第１収納部は、真券を収納し、前記第２収納部は、偽券を収納する請求項７に記載の紙葉類処理装置。
【請求項１１】
前記紙葉類は紙幣であり、
前記第１収納部は、新券を収納し、前記第２収納部は、旧券を収納する請求項７に記載の紙葉類処理装置。
【請求項１２】
収容物を防護するよう構成された金庫筐体と、前記金庫筐体の上側に配設されかつ、前記金庫筐体よりも防護レベルが低く構成された上部筐体とを備え、
前記第１収納部は、前記上部筐体の中に配置され、前記第２収納部は、前記金庫筐体の中に配置されている請求項１〜３のいずれか１項に記載の紙葉類処理装置。
【請求項１３】
収容物を防護するよう構成された金庫筐体と、前記金庫筐体の上側に配設されかつ、前記金庫筐体よりも防護レベルが低く構成された上部筐体とを備え、
前記第１及び第２収納部は共に、前記上部筐体の中に配置されている請求項１〜３のいずれか１項に記載の紙葉類処理装置。
【請求項１４】
収容物を防護するよう構成された金庫筐体と、前記金庫筐体の上側に配設されかつ、前記金庫筐体よりも防護レベルが低く構成された上部筐体とを備え、
前記第１及び第２収納部は共に、前記金庫筐体の中に配置されている請求項１〜３のいずれか１項に記載の紙葉類処理装置。
【請求項１５】
収容物を防護するよう構成された金庫筐体と、前記金庫筐体の上側に配設されかつ、前記金庫筐体よりも防護レベルが低く構成された上部筐体とを備え、
前記第１収納部は、前記金庫筐体の中に配置され、前記第２収納部は、前記上部筐体及び前記金庫筐体の外に配置されている請求項１〜３のいずれか１項に記載の紙葉類処理装置。
【請求項１６】
前記第１収納部が配置される第１配置部と、前記第２収納部が配置される第２配置部とを備え、
前記第１収納部は、前記第２配置部に配置することが可能な形態を有し、前記第２収納部は、前記第１配置部に配置することが可能な形態を有している請求項１〜１５のいずれか１項に記載の紙葉類処理装置。
【請求項１７】
前記第１収納部及び前記第２収納部を収容するフレームを備え、
前記第１収納部、前記第２収納部及び前記フレームは、前記紙葉類を搬送する搬送路に接続される紙葉類収納装置を構成している請求項１〜１１のいずれか１項に記載の紙葉類処理装置。
【発明の詳細な説明】
【技術分野】
【０００１】
ここに開示する技術は、紙葉類処理装置に関する。
【背景技術】
【０００２】
特許文献１には、紙幣処理装置が記載されている。この紙幣処理装置は、テープと共に紙幣を巻き取る巻取ローラーを有するテープ式収納繰出装置を備えている。テープ式収納繰出装置は、一対のテープが紙幣を挟んだ状態で巻取ローラーに巻き取られる。または、二対のテープが紙幣を挟んだ状態で巻取ローラーに巻き取られる。紙幣処理装置は、テープ式収納繰出装置を、複数、備えている。複数のテープ式収納繰出装置の一つは、金種別に紙幣を収納する。複数のテープ式収納繰出装置の一つは、紙幣を一時的に収納する一時保留部である。
【先行技術文献】
【特許文献】
【０００３】
【特許文献１】国際公開第２０１１／１５５０１８号
【発明の概要】
【発明が解決しようとする課題】
【０００４】
従来のテープ式収納繰出装置のテープは、例えば無色透明であったり、黒色であったりする。紙葉類処理装置に含まれる複数のテープは、全て同じであり、見分けがつかない。
【０００５】
ここに開示する技術は、かかる点に鑑みてなされたものであり、その目的とするところは、複数のテープの識別性が向上した紙葉類処理装置を提供することにある。
【課題を解決するための手段】
【０００６】
具体的に、ここに開示する技術は、紙葉類処理装置に係る。紙葉類処理装置は、紙葉類を間に挟んで巻き取られるテープを有しかつ、前記紙葉類を収納するよう構成された第１収納部と、前記紙葉類を間に挟んで巻き取られるテープを有しかつ、前記紙葉類を収納するよう構成された第２収納部と、を備えている。
【０００７】
そして、前記第１収納部の前記テープと、前記第２収納部の前記テープとは、前記テープの色、並びに、前記テープに付された文字、図形、記号及び模様、のうちの少なくとも一が相違している。
【０００８】
この構成によると、第１収納部のテープと第２収納部のテープとは、色、文字、図形、記号、模様のうちの少なくとも一が異なる。人は、第１収納部のテープと第２収納部のテープとを、見て区別することができる。
【０００９】
前記第１収納部の前記テープと、前記第２収納部の前記テープとは、長さが相違している、としてもよい。
【００１０】
例えば第１収納部のテープを交換するときに、第２収納部のテープを誤って第１収納部に取り付けてしまうと、第１収納部のテープと、第２収納部のテープとは長さが相違するため、不具合が生じる。具体的には、第２収納部のテープの長さが相対的に短い場合、第１収納部の紙葉類の最大収納量が減ってしまう。第２収納部のテープの長さが相対的に長い場合、紙葉類を間に挟んで巻き取られるテープの径が大きくなり過ぎて第１収納部のフレームに接触してしまう、等の不具合が生じる。
【００１１】
これに対し、前記の構成では、人は、第１収納部のテープと第２収納部のテープとを、見て区別することができる。従って、第１収納部に、第２収納部のテープを取り付けてしまうこと、及び、第２収納部に、第１収納部のテープを取り付けてしまうことを、確実に防止することが可能になる。
【００１２】
前記第１収納部の前記テープと、前記第２収納部の前記テープとは、材質が相違している、としてもよい。
【００１３】
人は、前述したように、テープの色、文字、図形、記号、又は、模様の違いによって第１収納部のテープと第２収納部のテープとを、見て区別することができる。従って、第１収納部のテープの材質と第２収納部のテープの材質とが相違するときに、第１収納部に、第２収納部のテープを取り付けてしまうこと、及び、第２収納部に、第１収納部のテープを取り付けてしまうことを、確実に防止することが可能になる。
【００１４】
前記第１収納部と、前記第２収納部とは、役割が相違している、としてもよい。
【００１５】
第１収納部の役割と第２収納部の役割とが相違すると、紙葉類処理装置における第１収納部の制御と、第２収納部の制御とは、互いに相違する。紙葉類処理装置において、第１収納部を、第２収納部の配置位置に配置したり、第２収納部を、第１収納部の配置位置に配置したりすると、紙葉類処理装置の動作に支障が生じる可能性がある。
【００１６】
前述したように、人は、第１収納部のテープと、第２収納部のテープとを見て区別することができるため、第１収納部と第２収納部とを見て区別することが可能である。従って、第１収納部を、第２収納部の配置位置に配置してしまうこと、及び、第２収納部を、第１収納部の配置位置に配置してしまうことを、確実に防止することが可能になる。
【００１７】
前記第１収納部は、前記紙葉類を一時的に収納する役割の一時保留部であり、前記第２収納部は、前記紙葉類を種類別に収納する役割の種類別収納部である、としてもよい。
【００１８】
人は、テープを見て、一時保留部と種類別収納部とを区別することができるから、一時保留部を、種類別収納部の配置位置に配置してしまうこと、及び、種類別収納部を、一時保留部の配置位置に配置してしまうことを、確実に防止することが可能になる。
【００１９】
前記第１収納部は、前記紙葉類を種類別に収納する役割の種類別収納部であり、前記第２収納部は、前記第１収納部に収納することができない紙葉類を収納する役割の多目的収納部である、としてもよい。
【００２０】
人は、テープを見ることによって、種類別収納部と多目的収納部とを区別することができるから、種類別収納部を、多目的収納部の配置位置に配置してしまうこと、及び、多目的収納部を、種類別収納部の配置位置に配置してしまうことを、確実に防止することが可能になる。
【００２１】
前記第１収納部に収納する紙葉類と、前記第２収納部に収納する紙葉類とは、種類が相違している、としてもよい。
【００２２】
紙葉類処理装置において、第１収納部を、第２収納部の配置位置に配置したり、第２収納部を、第１収納部の配置位置に配置したりすると、第１収納部に収納する紙葉類と、前記第２収納部に収納する紙葉類とは、種類が相違するため、紙葉類処理装置の紙葉類の管理に支障が生じる。その結果、違算障害を招く恐れがある。
【００２３】
これに対し、前記の構成では、人は、第１収納部のテープと、第２収納部のテープとを見て区別することができるため、第１収納部と第２収納部とを、見て区別することが可能である。従って、第１収納部を、第２収納部の配置位置に配置してしまうこと、及び、第２収納部を、第１収納部の配置位置に配置してしまうことを、確実に防止することが可能になる。
【００２４】
前記紙葉類は紙幣であり、前記第１収納部は、所定の一金種の紙幣を収納し、前記第２収納部は、複数の金種の紙幣を収納する、としてもよい。
【００２５】
前記第１収納部は、正券を収納し、前記第２収納部は、損券を収納する、としてもよい。
【００２６】
前記第１収納部は、真券を収納し、前記第２収納部は、偽券を収納する、としてもよい。
【００２７】
前記第１収納部は、新券を収納し、前記第２収納部は、旧券を収納する、としてもよい。
【００２８】
前記紙葉類処理装置は、収容物を防護するよう構成された金庫筐体と、前記金庫筐体の上側に配設されかつ、前記金庫筐体よりも防護レベルが低く構成された上部筐体とを備え、前記第１収納部は、前記上部筐体の中に配置され、前記第２収納部は、前記金庫筐体の中に配置されている、としてもよい。
【００２９】
防護レベルが異なる上部筐体と金庫筐体とは、筐体の中に収容する収容物の管理権限が相違する場合がある。上部筐体の中に配置される第１収納部を、金庫筐体の中に配置すること、及び、金庫筐体の中に配置される第２収納部を、上部筐体の中に配置することは、確実に回避することが望まれる。
【００３０】
前述の通り、人は、テープによって第１収納部と第２収納部とを、見て区別することが可能である。従って、第１収納部を、金庫筐体の中に配置してしまうこと、及び、第２収納部を、上部筐体の中に配置してしまうことを、確実に防止することが可能になる。
【００３１】
前記第１及び第２収納部は共に、前記上部筐体の中に配置されている、としてもよい。
【００３２】
第１及び第２収納部が共に、上部筐体の中に配置される場合、第１収納部の配置位置と、第２収納部の配置位置とを間違いやすい。前述の通り、人は、テープによって第１収納部と第２収納部とを、見て区別することが可能である。従って、第１収納部を、第２収納部の配置位置に配置してしまうこと、及び、第２収納部を、第１収納部の配置位置に配置してしまうことを、確実に防止することが可能になる。
【００３３】
前記第１及び第２収納部は共に、前記金庫筐体の中に配置されている、としてもよい。
【００３４】
第１及び第２収納部が共に、金庫筐体の中に配置される場合、第１収納部の配置位置と、第２収納部の配置位置とを間違いやすい。前述の通り、人は、テープによって第１収納部と第２収納部とを、見て区別することが可能である。従って、第１収納部を、第２収納部の配置位置に配置してしまうこと、及び、第２収納部を、第１収納部の配置位置に配置してしまうことを、確実に防止することが可能になる。
【００３５】
前記第１収納部は、前記金庫筐体の中に配置され、前記第２収納部は、前記上部筐体及び前記金庫筐体の外に配置されている、としてもよい。
【００３６】
金庫筐体の中に配置される第１収納部と、上部筐体及び金庫筐体の外に配置される第２収納部とは、紙葉類処理装置における役割が相違する。第１収納部を、上部筐体及び金庫筐体の外に配置すること、及び、第２収納部を、金庫筐体の中に配置することを、確実に回避することが望まれる。
【００３７】
これに対し、前記の構成では、人は、テープによって第１収納部と第２収納部とを、見て区別することが可能である。従って、第１収納部を、上部筐体及び金庫筐体の外に配置してしまうこと、及び、第２収納部を、金庫筐体の中に配置してしまうことを、確実に防止することが可能になる。
【００３８】
前記紙葉類処理装置は、前記第１収納部が配置される第１配置部と、前記第２収納部が配置される第２配置部とを備え、前記第１収納部は、前記第２配置部に配置することが可能な形態を有し、前記第２収納部は、前記第１配置部に配置することが可能な形態を有している、としてもよい。
【００３９】
つまり、第１収納部を、第２収納部の配置位置に配置してしまうこと、及び、第２収納部を、第１収納部の配置位置に配置してしまうことが、それぞれ起こり得る。
【００４０】
しかしながら、前記の構成により、人は、テープによって第１収納部と第２収納部とを、見て区別することが可能である。従って、第１収納部を、第２配置部に配置してしまうこと、及び、第２収納部を、第１配置部に配置してしまうことを防止することが可能になる。
【００４１】
前記紙葉類処理装置は、前記第１収納部及び前記第２収納部を収容するフレームを備え、前記第１収納部、前記第２収納部及び前記フレームは、前記紙葉類を搬送する搬送路に接続される紙葉類収納装置を構成している、としてもよい。
【００４２】
この構成によると、紙葉類収納装置は、一つのフレームの中に、二つの収納部を収容している。紙葉類収納装置は、二つの収納部それぞれに、紙葉類をテープと共に巻き取ることによって、紙葉類を、第１収納部と第２収納部とに分けて収納することが可能である。
【００４３】
第１収納部のテープと第２収納部のテープとは、色、文字、図形、記号、模様のうちの少なくとも一が異なる。人は、第１収納部のテープと第２収納部のテープとを、見て区別することができる。第１収納部のテープを、第２収納部に取り付けたり、第２収納部のテープを、第１収納部に取り付けたりすることが防止される。
【発明の効果】
【００４４】
以上説明したように、前記の紙葉類処理装置によると、複数のテープの識別性が向上する。
【図面の簡単な説明】
【００４５】
【図１】図１は、紙幣処理装置の内部の構成例を概念的に示す図である。
【図２】図２は、紙幣処理装置の構成例を示すブロック図である。
【図３】図３は、テープ式の収納モジュールの構成例を概念的に示す図である。
【図４】図４は、収納機構の構成例を概念的に示す図である。
【図５】図５は、収納機構の別の構成例を概念的に示す図である。
【図６】図６は、収納機構のさらに別の構成例を概念的に示す図である。
【図７】図７は、収納機構のさらに別の構成例を概念的に示す図である。
【図８】図８は、紙幣処理装置の別の構成例を概念的に示す図１対応図である。
【図９】図９は、紙幣処理装置のさらに別の構成例を概念的に示す図１対応図である。
【図１０】図１０は、紙幣処理装置のさらに別の構成例を概念的に示す図１対応図である。
【図１１】図１１は、紙幣処理装置のさらに別の構成例を概念的に示す図１対応図である。
【図１２】図１２は、紙幣処理装置のさらに別の構成例を概念的に示す図である。
【発明を実施するための形態】
【００４６】
以下、紙葉類処理装置の実施形態を図面に基づいて詳細に説明する。以下の説明は、紙葉類処理装置の一例である。図１は、紙葉類処理装置としての紙幣処理装置１を示している。紙幣処理装置１は、例えば銀行等の金融機関に設置されかつ、入金処理及び出金処理を含む各種の処理を実行する装置である。尚、紙幣処理装置１は、金融機関に設置する以外に、例えば小売店舗のバックオフィス等に設置して用いることも可能である
（紙幣処理装置の全体構成例）
図１は、紙幣処理装置１の内部の構造を、概念的に示している。以下の説明では、図１における紙面右を前、紙面左を後と呼ぶ場合がある。
【００４７】
紙幣処理装置１は、バラ紙幣の処理を行う。紙幣処理装置１は、上部の処理部１１と、下部の金庫部１３とを有している。処理部１１を構成する上部筐体１１１の中には、入金部２１、出金部２３、識別部２４、一時保留部３３、及び、搬送路の一部が配設されている。
【００４８】
金庫部１３は、金庫筐体１３１によって構成されている。金庫筐体１３１の中には、収納部と、搬送路の一部とが配設されている。金庫筐体１３１は、収納部を、所定以上の防護レベルで防護するように構成されている。金庫筐体１３１の防護レベルは、上部筐体１１１の防護レベルよりも高くなっている。
【００４９】
金庫筐体１３１は、詳細な図示は省略するが、その前部に開閉扉を有している。開閉扉には、例えば電子錠が設けられている。電子錠を解錠することにより、開閉扉は開く。開閉扉が開くと、金庫筐体１３１の中に格納している収納部を、紙幣処理装置１の前方に引き出すことが可能になる。金庫である金庫筐体１３１の電子錠を開けることができる人は、特別な権限を有している。
【００５０】
尚、上部筐体１１１も、上部筐体１１１の中に格納している各部を引き出すことが可能である。処理部１１の管理権限と、金庫部１３の管理権限とは異なる。従って、上部筐体１１１を開けることができる人と、金庫筐体１３１を開けることができる人とは、異なる。
【００５１】
入金部２１は、例えば入金処理を行う際に、紙幣が投入される部分である。入金部２１は、入金口２１１を有している。入金口２１１は、上部筐体１１１の上面に開口している。紙幣は、入金口２１１を通じて、入金部２１に投入される。入金部２１は、複数枚の紙幣を、重ねた状態で保持するよう構成されている。入金部２１は、保持している紙幣を、一枚ずつ装置の中に取り込む機構を有している。
【００５２】
出金部２３は、例えば出金処理の際に、紙幣が搬送される部分である。出金部２３は、様々な用途に利用することが可能である。出金部２３は、複数枚の紙幣を、重ねた状態で保持するよう構成されている。つまり、出金部２３は、複数枚の紙幣を集積する。出金部２３は、出金口２３１を有している。出金口２３１は、上部筐体１１１の上面に開口している。出金部２３に集積されている紙幣は、出金口２３１を通じて取り出すことが可能である。尚、出金口２３１に、開閉するシャッターを設けてもよい。
【００５３】
識別部２４は、後述するループ搬送路４１１に配設されている。識別部２４は、ループ搬送路４１１に沿って搬送される紙幣の一枚一枚について、少なくとも、真偽、金種及び正損を識別する。
【００５４】
収納部は、金種別収納部３１と、多目的収納部３２と、一時保留部３３とを含む。金種別収納部３１、多目的収納部３２、及び、一時保留部３３は、配置部５１に配置される。金種別収納部３１、多目的収納部３２、及び、一時保留部３３は全て、紙幣を、テープの間に挟んでドラムに巻き取ることによって、紙幣を収納するよう構成されたテープ式の収納モジュールである。テープ式の収納モジュールの構成については、後述する。金種別収納部３１、多目的収納部３２、及び、一時保留部３３は全て、紙幣を収納部の中に取り込んで収納すること、及び、収納部の中に収納している紙幣を繰り出すこと、が可能に構成されている。
【００５５】
金種別収納部３１は、図例では、第１〜第８の８つの金種別収納部３１１〜３１８を有している。第１〜第８の金種別収納部３１１〜３１８は、紙幣を金種別に収納する。第１〜第８の金種別収納部３１１〜３１８は、正券を収納する。第１〜第８の金種別収納部３１１〜３１８は、真券を収納する。第１〜第８の金種別収納部３１１〜３１８は、新券を収納する。金種別収納部３１の数は、８つに限らず、適宜の数にすることが可能である。
【００５６】
第１〜第８の金種別収納部３１１〜３１８は、金庫筐体１３１の中に配置されている。第１〜第８の金種別収納部３１１〜３１８は、詳細には、金庫筐体１３１の中の後側の位置で、前後方向（つまり、図１の紙面左右方向）及び上下方向に並んで配設されている。上側の四つの金種別収納部３１１〜３１４は、互いに同じ形状を有している。下側の四つの金種別収納部３１５〜３１８は、互いに同じ形状を有している。
【００５７】
金庫筐体１３１の中には、第１〜第８配置部５１１〜５１８が設けられている。上側の第１〜第４金種別収納部３１１〜３１４は、第１〜第４配置部５１１〜５１４のそれぞれに、着脱可能に配置されている。第１〜第４の金種別収納部３１１〜３１４は、形状が同じであるため、第１〜第４配置部５１１〜５１４のうちのいずれの配置部にも配置することができる。下側の第５〜第８金種別収納部３１５〜３１８は、第５〜第８配置部５１５〜５１８のそれぞれに、着脱可能に配置されている。第５〜第８金種別収納部３１５〜３１８は、形状が同じであるため、第５〜第８配置部５１５〜５１８のうちのいずれの配置部にも配置することができる。
【００５８】
第１〜第４の金種別収納部３１１〜３１４はまた、下側の第５〜第８配置部５１５〜５１８のいずれの配置部にも取り付け可能な形態を有している。同様に、第５〜第８の金種別収納部３１５〜３１８は、上側の第１〜第４配置部５１１〜５１４のいずれの配置部にも取り付け可能な形態を有している。
【００５９】
多目的収納部３２は、図例では、第１及び第２の２つの多目的収納部３２１、３２２を有している。多目的収納部３２は、金種別収納部３１に収納することができない紙幣を収納する。多目的収納部３２は、例えば第１〜第８の金種別収納部３１１〜３１８がフル又はニアフルになったため、収納することができなくなった紙幣（つまり、オーバーフロー紙幣）を収納してもよい。多目的収納部３２は、例えば第１〜第８の金種別収納部３１１〜３１８のいずれにも割り当てられていない金種（つまり、指定外金種）の紙幣を収納してもよい。多目的収納部３２は、例えば損券を収納してもよい。多目的収納部３２は、例えば偽券、又は、偽券の恐れがある紙幣を収納してもよい。多目的収納部３２は、例えば旧券を収納してもよい。多目的収納部３２は、出金処理時に発生したリジェクト紙幣を収納してもよい。多目的収納部３２は、精査処理時に発生したリジェクト紙幣を収納してもよい。多目的収納部３２は、出金部２３に出金した紙幣であって、出金口２３１から取り忘れられた紙幣を収納してもよい。尚、多目的収納部３２の数は、２つに限らず、適宜の数にすることが可能である。
【００６０】
第１及び第２の多目的収納部３２１、３２２は、金庫筐体１３１の中に配置されている。第１及び第２の多目的収納部３２１、３２２は、詳細には、金庫筐体１３１の中の前側の位置で、上下方向に並んで配設されている。第１の多目的収納部３２１は、金庫筐体１３１の中の上側に配設される第１〜第４の金種別収納部３１１〜３１４と同じ形状を有している。第２の多目的収納部３２２は、金庫筐体１３１の中の下側に配設される第５〜第８の金種別収納部３１５〜３１８と同じ形状を有している。
【００６１】
金庫筐体１３１の中には、第９及び第１０配置部５１９、５１１０が設けられている。第１の多目的収納部３２１は、第９配置部５１９に、着脱可能に配置されている。第２の多目的収納部３２２は、第１０配置部５１１０に、着脱可能に配置されている。
【００６２】
第１の多目的収納部３２１は、下側の第１０配置部５１１０に取り付け可能な形態を有している。同様に、第２の多目的収納部３１５〜３１８は、上側の第９配置部５１９に取り付け可能な形態を有している。
【００６３】
第１の多目的収納部３２１は、第１〜第８配置部５１１〜５１８にも、取り付けることが可能であり、第２の多目的収納部３２２も、第１〜第８配置部５１１〜５１８に、取り付けることが可能である。また、第１〜第８の金種別収納部３１１〜３１８はそれぞれ、第９配置部５１９に取り付けることが可能であり、第１０配置部５１１０にも取り付けることが可能である。
【００６４】
尚、金庫筐体１３１の中の金種別収納部３１及び多目的収納部３２の数、及び、その配置は、どのようなものであってもよい。
【００６５】
一時保留部３３は、例えば入金処理の際に、入金処理が確定するまで、入金対象の紙幣を一時的に収納する。一時保留部３３はまた、その他の用途に利用することも可能である。
【００６６】
一時保留部３３は、上部筐体１１１の中に配置されている。一時保留部３３は、詳細には、上部筐体１１１の中の前側の位置に配設されている。上部筐体１１１の中には、第１１配置部５１１１が設けられている。一時保留部３３は、第１１配置部５１１１に、着脱可能に配置されている。
【００６７】
一時保留部３３はまた、金庫筐体１３１の中の第１〜第１０配置部５１１〜５１１０に配置することが可能な形態を有している。従って、第１〜第８の金種別収納部３１１〜３１８は、第１１配置部５１１１に配置することが可能であると共に、第１及び第２の多目的収納部３２１〜３２２も、第１１配置部５１１１に配置することが可能である。
【００６８】
搬送部４（図２参照）は、搬送路を有している。搬送部４は、例えば紙幣の長手の縁を前にして、紙幣と紙幣との間に間隔を空けて、紙幣を一枚ずつ、搬送路に沿って搬送するよう構成されている。搬送路は、図示は省略するが、多数のローラー、複数のベルト、これらを駆動するモータ、搬送される紙幣を検出する通過センサ及び複数のガイドの組み合わせによって構成されている。
【００６９】
搬送部４は、図１に示すように、上部筐体１１１の中に設けられたループ搬送路４１１を有している。ループ搬送路４１１は、前述したように識別部２４を通る。搬送部４は、紙幣を、ループ搬送路４１１に沿って、図１における時計回り方向及び反時計回り方向に搬送する。
【００７０】
入金部２１は、接続路４１２を介して、ループ搬送路４１１に接続されている。出金部２３は、接続路４１３を介して、ループ搬送路４１１に接続されている。
【００７１】
第１〜第８の金種別収納部３１１〜３１８、及び、第１及び第２の多目的収納部３２１，３２２はそれぞれ、接続路４１４を介してループ搬送路４１１に接続されている。接続路４１４は、途中で分岐して、第１〜第８の金種別収納部３１１〜３１８のそれぞれ、及び、第１及び第２の多目的収納部３２１、３２２のそれぞれに接続されている。
【００７２】
一時保留部３３は、接続路４１５を介して、ループ搬送路４１１に接続されている。
【００７３】
尚、図示は省略するが、ループ搬送路４１１と、接続路４１２、４１３、４１４、４１５との接続箇所には、紙幣の搬送先を切り替える分岐機構が設けられている。また、接続路４１４における各分岐箇所にも、分岐機構が設けられている。
【００７４】
ループ搬送路４１１、及び、接続路４１２、４１３、４１４、４１５における各所には、紙幣の通過を検知する通過センサが配設されている。搬送部４は、後述するコントローラー１５からの指令を受けて、通過センサの検知信号に基づいて、搬送部４の各分岐機構を制御することにより、紙幣を、所定の搬送先に搬送する。
【００７５】
図２は、紙幣処理装置１の構成を示すブロック図である。紙幣処理装置１は、コントローラー１５を備えている。コントローラー１５には、前述した、入金部２１、出金部２３、識別部２４、搬送部４、金種別収納部３１、多目的収納部３２、及び、一時保留部３３が、それぞれ信号の授受可能に接続されている。詳細は後述するが、金種別収納部３１、多目的収納部３２、及び、一時保留部３３はそれぞれ、収納機構とセンサ７８とを備えている。
【００７６】
紙幣処理装置１は、各種のデータ等を記憶するストレージ２５、各種の情報を表示する表示部２６、人が操作をする操作部２７、及び、端末機１６との間で通信を行うための通信部２８を有している。ストレージ２５、表示部２６、操作部２７、及び通信部２８も、コントローラー１５に信号の授受可能に接続されている。表示部２６及び操作部２７は、例えばタッチパネル式の表示装置によって一体に構成してもよい。
【００７７】
端末機１６は、紙幣処理装置１を利用して行う各種の業務の実行のために、人が操作をする。
【００７８】
コントローラー１５は、操作部２７が人によって操作されたときや、端末機１６が人によって操作されたときに、各種の処理を実行するよう、入金部２１、出金部２３、識別部２４、搬送部４、金種別収納部３１、多目的収納部３２、及び、一時保留部３３、を制御する。
【００７９】
以下、前述した構成の紙幣処理装置１が各種の処理を実行する際の動作について、簡単に説明する。
【００８０】
（入金処理）
入金対象の紙幣は、入金部２１に投入される。入金部２１は、紙幣を一枚一枚、装置の中に取り込む。搬送部４は、紙幣を、接続路４１２からループ搬送路４１１を通って、識別部２４に搬送する。識別部２４は、紙幣を識別する。搬送部４は、識別部２４を通過した紙幣を、接続路４１５を通って、一時保留部３３に搬送する。一時保留部３３は紙幣を収納する。
【００８１】
搬送部４はまた、識別部２４がリジェクト紙幣と識別した紙幣を、ループ搬送路４１１から接続路４１３を通って、出金部２３に搬送する。リジェクト紙幣には搬送異常の紙幣も含まれる。出金部２３に出金された紙幣は、入金部２１に投入された入金対象の紙幣が全て、装置の中に取り込まれた後、人の手によって入金部２１に投入される。入金部２１に再投入された紙幣は、もう一度、装置の中に取り込まれる。
【００８２】
入金部２１に投入された紙幣が全て装置の中に取り込まれると、入金金額が、例えば端末機１６に表示される。人が、端末機１６を操作することによって、又は、操作部２７を操作することによって入金処理が確定すれば、一時保留部３３は、収納している紙幣を繰り出し、搬送部４は、紙幣を接続路４１５から、ループ搬送路４１１及び接続路４１４を経て、第１〜第８の金種別収納部３１１〜３１８、又は、第１〜第２の多目的収納部３２１、３２２に搬送する。第１〜第８の金種別収納部３１１〜３１８、及び、第１〜第２の多目的収納部３２１、３２２は、紙幣を収納する。こうして、入金処理が終了する。コントローラー１５は、第１〜第８の金種別収納部３１１〜３１８、及び、第１〜第２の多目的収納部３２１、３２２に収納した紙幣に関するデータを、ストレージ２５に記憶させて管理する。
【００８３】
尚、入金処理時に、一時保留部３３を利用しないで、入金部２１に投入された紙幣を、直接、第１〜第８の金種別収納部３１１〜３１８、及び、第１〜第２の多目的収納部３２１、３２２に収納するようにしてもよい。
【００８４】
（出金処理）
第１〜第８の金種別収納部３１１〜３１８は、出金処理時に、出金対象の紙幣を繰り出す。搬送部４は、紙幣を、接続路４１４からループ搬送路４１１を通って、識別部２４に搬送する。識別部２４は、紙幣の識別を行う。搬送部４は、識別後の紙幣を、ループ搬送路４１１から接続路４１３を通って、出金部２３に搬送する。
【００８５】
識別部２４がリジェクト紙幣であると識別をしたときには、搬送部４は、そのリジェクト紙幣を、ループ搬送路４１１から接続路４１４を通って、多目的収納部３２に搬送する。出金処理時に発生するリジェクト紙幣には、搬送異常に起因するリジェクト紙幣の他、収納部に収納されているべき金種と異なる金種の紙幣も含まれる。多目的収納部３２は、出金処理時に発生したリジェクト紙幣を収納する。尚、リジェクト紙幣を多目的収納部３２に搬送するときに、第１〜第８の金種別収納部３１１〜３１８は、出金対象の紙幣の繰り出しを停止する。
【００８６】
または、搬送部４は、リジェクト紙幣を一時保留部３３に搬送して、一時保留部３３がリジェクト紙幣を一旦収納し、出金処理が完了した後に、搬送部４は、一時保留部３３のリジェクト紙幣を多目的収納部３２に搬送するようにしてもよい。
【００８７】
出金対象の紙幣が全て、出金部２３に出金されれば、出金処理は終了する。コントローラー１５は、出金部２３に出金した紙幣に関するデータを、ストレージ２５から消去する。
【００８８】
（テープ式の収納モジュールの構成例）
図３は、前述した金種別収納部３１、多目的収納部３２及び一時保留部３３を構成するテープ式の収納モジュール７の構成例を示している。テープ式の収納モジュール７は、収納機構７０と、収納機構７０を収納するフレーム７６と、を備えている。金種別収納部３１を構成するフレーム７６、多目的収納部３２を構成するフレーム７６、及び、一時保留部３３を構成するフレーム７６は、形態が相違する場合がある。
【００８９】
収納機構７０は、テープの間に挟んだ紙幣を、テープと共にドラムに巻き取るよう構成されている。図４は、収納機構７０の構成例を示している。この収納機構７０は、合計４本のテープを有している。尚、図４は、収納機構７０の構成の理解が容易になるように、テープ７１〜７４の配置を実際とは異ならせている。
【００９０】
収納機構７０は、４本のテープ７１〜７４と、テープ７１〜７４が巻き付けられたテープリール７１１、７２１、７３１、７４１と、テープリール７１１、７２１、７３１、７４１から引き出されたテープ７１〜７４が巻き取られるドラム７５とを有している。尚、図３からは明らかではないが、フレーム７６の中に配設されているテープ７１〜７４の一部は、フレーム７６の外から見ることが可能である。
【００９１】
収納モジュール７の一側面（図３の例では上面）には、紙幣が出入する出入口７９が設けられている。紙幣は、出入口７９を通って収納モジュール７の中に入ると共に、出入口７９を通って収納モジュール７の外に出る。
【００９２】
ドラム７５は、水平方向に伸びる軸を中心として、紙幣１００及びテープ７１〜７４の巻き取り方向、及び、紙幣及びテープ７１〜７４の繰り出し方向に回転する。ドラム７５には、テープ７１〜７４の一端が取り付けられている。
【００９３】
前述したように、ここに示す収納機構７０は、合計４本のテープ７１〜７４を有している。各テープ７１〜７４が巻き付けられた４つのテープリール７１１、７２１、７３１、７４１のうち、２つのテープリール７１１、７２１は、ドラム７５を挟んだ一側（つまり、図３における上側）において、水平方向（つまり、図３における紙面に直交する方向）に間隔を空けて配置されている。残りの２つのテープリール７３１、７４１は、ドラム７５を挟んだ他側（つまり、図３における下側）において、水平方向に間隔を空けて配置されている。
【００９４】
テープリール７１１、７２１、７３１、７４１から引き出されたテープ７１〜７４は、ローラー７７に巻きかけられることにより、所定の経路に沿って配設され、ドラム７５に至る。各テープ７１〜７４の経路の途中には、テープ７１〜７４を検知するセンサ７８が配設されている。センサ７８は、発光部と受光部とを有し、テープ７１〜７４を透過する光を検知するよう構成された光透過型のセンサである。
【００９５】
収納機構７０は、図４に一点鎖線で示すように、長手の縁を前にして、出入口７９から収納モジュール７の中に進入する紙幣１００の一面に、２本のテープ７１、７２を、紙幣の長手方向に間隔を空けて配置すると共に、紙幣１００の他面に、２本のテープ７３、７４を、紙幣１００の長手方向に間隔を空けて配置する。２本のテープ７１、７２と、２本のテープ７３、７４とは、互いに向かい合う。収納機構７０は、これらのテープ７１〜７４の間に紙幣１００を挟んで、テープ７１〜７４をドラム７５に巻き取るよう構成されている。ドラム７５に巻き取った紙幣を繰り出すときには、ドラム７５が逆方向に回転する。
【００９６】
（テープ式の収納モジュールの他の構成例）
図４に示す収納機構７０は、４本のテープ７１〜７４を有しているが、収納機構の構成は、この構成に限らない。ここで、収納機構の他の構成例について、図５〜図７を参照しながら簡単に説明をする。テープ式の収納モジュール７は、いずれの収納機構７０１〜７０３も採用することが可能である。
【００９７】
図５は、２本のテープ７１、７２を有している収納機構７０１の構成例を示している。２本のテープ７１、７２は、紙幣１００の一面に、紙幣１００の長手方向に間隔を空けて配置される。紙幣１００と共にテープ７１、７２をドラム７５に巻き取ることによって、紙幣１００は、テープ７１、７２の間に挟まれた状態で、ドラム７５に巻き取られる。
【００９８】
図６は、３本のテープ７１〜７３を有している収納機構７０２の構成例を示している。３本のテープ７１〜７３は、紙幣１００の一面に、紙幣１００の長手方向に間隔を空けて配置される。３本のテープ７１〜７３のうち、両側の２本のテープ７１、７３は、約半周分だけドラム７５に巻かれ、案内ローラー７１０を経た後、さらにドラム７５に巻き取られる。３本のテープ７１〜７３のうち、真ん中のテープ７２は、そのままドラム７５に巻き取られる。紙幣１００は、これらのテープ７１〜７３の間に挟まれた状態で、ドラム７５に巻き取られる。
【００９９】
図７は、紙幣１００が、短手の縁を前にして搬送される紙幣処理装置に適用される収納機構７０３の構成例を示している。収納機構７０３は、２本のテープ７１、７２を有している。２本のテープ７１、７２は、紙幣１００の一面と他面とのそれぞれに配置される。紙幣１００は、２本のテープ７１、７２の間に挟まれた状態で、ドラムに巻き取られる。
【０１００】
（テープ式の収納モジュールのテープの構成例）
前述したように、紙幣処理装置１は、複数のテープ式の収納モジュール７を備えている。具体的には、金種別収納部３１、多目的収納部３２、及び、一時保留部３３の、役割が相違する３種類の収納部を備えている。また、金種別収納部３１は、第１〜第８の、複数の金種別収納部３１１〜３１８を含んでいる。多目的収納部３２は、第１及び第２の、複数の多目的収納部３２１、３２２を含んでいる。紙幣処理装置１は、複数のテープ式の収納モジュール７の、テープの色、並びに、テープに付された文字、図形、記号及び模様のうちの少なくとも一が相違するよう構成されている。これにより、人は、複数のテープ式の収納モジュール７のテープを見て、それらのテープを区別することができる。
【０１０１】
ここで、テープの色は、例えば赤や青等の有彩色のほか、無彩色も含む。また、無色透明も、ここで言うテープの色の一つに含まれる。また、テープは、着色の有無に関わらず、少なくとも一部において光を透過するよう構成されていてもよいし、少なくとも一部において光が透過しないように構成されていてもよい。また、テープに着色する場合、テープの全長に亘って着色をしてもよいし、長さ方向の所定の範囲に着色をしてもよい。また、テープの長さ方向に対し所定の間隔毎に、テープに着色をしてもよい。また、テープの幅方向の一部にのみ着色をしてもよい。また、１本のテープについて単一の色に着色することに限らず、１本のテープに複数の色が含まれていてもよい。例えばテープの長さ方向に、複数の色を交互に着色することによって横縞模様を構成してもよい。また、例えばテープの幅方向に、複数の色を交互に着色することによって縦縞模様を構成してもよい。さらに、複数の色によって斜め縞模様や、交差縞模様を構成してもよい。
【０１０２】
テープに付す文字は、例えば数字やアルファベットとすることが可能である。１本のテープに一種類の文字を付すことに限らず、１本のテープに複数種類の文字を付してもよい。例えば紙幣処理装置１の製造会社名を、テープに付してもよい。文字は、例えばテープの全長に亘って、テープの表面（及び裏面）に付されていてもよい。また、文字は、テープにおける所定の範囲に付されていてもよい。また、テープの長さ方向に対し所定の間隔毎に、文字が付されていてもよい。文字は、着色されていてもよい。文字の色は、単一の色とすることに限らず、複数の色が含まれていてもよい。
【０１０３】
テープに付す図形は、丸、及び、三角形や四角形を含む多角形等、様々な図形を採用することが可能である。また、そうした単純な図形に限らず、複雑な図形をテープに付してもよい。例えば紙幣処理装置１の製造会社の図形商標を、テープに付してもよい。図形も、文字と同様に、例えばテープの全長に亘って、テープの表面（及び裏面）に付されていてもよい。また、テープにおける所定の範囲に、図形が付されていてもよい。また、テープの長さ方向に対し所定の間隔毎に、図形が付されていてもよい。図形は、着色されていてもよい。図形の色は、単一の色とすることに限らず、複数の色が含まれていてもよい。
【０１０４】
テープに付す記号も、図形と同様に、様々な記号を採用することが可能である。記号には、単純な記号及び複雑な記号が含まれる。例えば紙幣処理装置１の製造会社の記号商標を、テープに付してもよい。記号も、文字と同様に、例えばテープの全長に亘って、テープの表面（及び裏面）に付されていてもよい。また、テープにおける所定の範囲に、記号が付されていてもよい。また、テープの長さ方向に対し所定の間隔毎に、記号が付されていてもよい。記号は、着色されていてもよい。記号の色は、単一の色とすることに限らず、複数の色が含まれていてもよい。
【０１０５】
テープに付す模様も、図形や記号と同様に、様々な模様を採用することが可能である。模様には、単純な模様及び複雑な模様が含まれる。例えばテープの長さ方向に伸びる模様を、例えばテープの全長に亘って、テープの表面（及び裏面）に付してもよい。また、テープにおける所定の範囲に、模様が付されていてもよい。また、テープの長さ方向に対し所定の間隔毎に、模様が付されていてもよい。模様は、着色されていてもよい。模様の色は、単一の色とすることに限らず、複数の色が含まれていてもよい。
【０１０６】
テープの色、並びに、テープに付された文字、図形、記号及び模様は、いずれか一が、複数のテープ式の収納モジュールの間で、異なっていてもよいし、任意の組み合わせで異なっていてもよい。
【０１０７】
（金種別収納部と多目的収納部とに係る構成例）
金種別収納部３１及び多目的収納部３２はそれぞれ、配置部５１に対して着脱可能に取り付けられると共に、金種別収納部３１は、多目的収納部３２の配置位置である第９及び第１０配置部５１９、５１１０に配置すること、並びに、多目的収納部３２は、金種別収納部３１の配置位置である第１〜第８配置部５１１〜５１８に配置することが可能である。
【０１０８】
紙幣処理装置１は、例えば金種別収納部３１のテープと、多目的収納部３２のテープとが、テープの色、テープに付された文字、図形、記号及び模様、のうちの少なくとも一が相違するよう構成されている。テープ式の収納モジュール７は、フレーム７６の外からテープを見ることができるため、人は、金種別収納部３１と、多目的収納部３２とを、テープを見て区別することができる。従って、金種別収納部３１を、誤って第９及び第１０配置部５１９、５１１０に配置してしまうこと、及び、多目的収納部３２を、誤って第１〜第８配置部５１１〜５１８に配置してしまうことを、防止することができる。役割が相違するため、コントローラー１５による制御が異なる金種別収納部３１及び多目的収納部３２を、誤った位置に配置してしまうと、紙幣処理装置１の動作に支障が生じてしまうが、そうした不具合の発生を、未然に防止することができる。
【０１０９】
特に、金種別収納部３１及び多目的収納部３２は共に、金庫筐体１３１の中に配置されるため、誤って配置してしまう可能性が高い。しかしながら、前述の通り、人は、金種別収納部３１と、多目的収納部３２とを、テープを見て区別することができる。そのため、金庫筐体１３１の中に配置される、金種別収納部３１及び多目的収納部３２を、誤った配置位置に配置してしまうことを、確実に防止することが可能になる。
【０１１０】
また、金種別収納部３１は、前述の通り、金種別に紙幣を収納するため、特定の一金種の紙幣を収納するのに対し、多目的収納部３２は、複数の金種の紙幣を収納する。また、金種別収納部３１は、正券を収納するのに対し、多目的収納部３２は、損券も収納する。さらに、金種別収納部３１は、真券を収納するのに対し、多目的収納部３２は、偽券又は偽券の恐れがある紙幣も収納する。加えて、金種別収納部３１は、新券を収納するのに対し、多目的収納部３２は、旧券も収納する。
【０１１１】
従って、金種別収納部３１と多目的収納部とを誤って配置してしまうと、紙幣処理装置の紙幣の管理に支障が生じ、違算障害を招く恐れがある。しかしながら、前述の通り、金種別収納部３１のテープと、多目的収納部３２のテープとが、テープの色、テープに付された文字、図形、記号及び模様、のうちの少なくとも一が相違していれば、人は、金種別収納部３１及び多目的収納部３２を、誤った配置位置に配置してしまうことを、確実に防止することが可能になる。
【０１１２】
（金種別収納部と一時保留部とに係る構成例）
金種別収納部３１及び一時保留部３３はそれぞれ、配置部５１に対して着脱可能に取り付けられると共に、金種別収納部３１は、一時保留部３３の配置位置である第１１配置部５１１１に配置すること、並びに、一時保留部３３は、金種別収納部３１の配置位置である第１〜第８配置部５１１〜５１８に配置することが可能である。
【０１１３】
紙幣処理装置１は、例えば金種別収納部３１のテープと、一時保留部３３のテープとが、テープの色、テープに付された文字、図形、記号及び模様、のうちの少なくとも一が相違するよう構成されている。人は、金種別収納部３１と、一時保留部３３とを、テープを見て区別することができる。従って、金種別収納部３１を、誤って第１１配置部５１１１に配置してしまうこと、及び、一時保留部３３を、誤って第１〜第８配置部５１１〜５１８に配置してしまうことを、防止することができる。金種別収納部３１及び一時保留部３３は役割が相違するため、コントローラー１５による制御が異なる。金種別収納部３１及び一時保留部３３を、誤った位置に配置してしまうと、紙幣処理装置１の動作に支障が生じてしまうが、そうした不具合の発生を、未然に防止することができる。
【０１１４】
また、金種別収納部３１は金庫筐体１３１の中に配置されているのに対し、一時保留部３３は上部筐体１１１の中に配置されている。処理部１１と金庫部１３とは管理権限が相違する。そのため、金種別収納部３１及び一時保留部３３を取り違えることは、確実に回避することが望まれる。前述の通り、金種別収納部３１のテープと、一時保留部３３のテープとを、見て区別することが可能であれば、金種別収納部３１を上部筐体１１１の中に配置すること、及び、一時保留部３３を、金庫筐体１３１の中に配置することは、確実に回避することが可能になる。
【０１１５】
（多目的収納部と一時保留部とに係る構成例）
多目的収納部３２及び一時保留部３３もそれぞれ、配置部５１に対して着脱可能に取り付けられると共に、多目的収納部３２を、一時保留部３３の配置位置である第１１配置部５１１１に配置すること、並びに、一時保留部３３を、多目的収納部３２の配置位置である第９及び第１０配置部５１９、５１１０に配置することが可能である。
【０１１６】
紙幣処理装置１は、例えば多目的収納部３２のテープと、一時保留部３３のテープとが、テープの色、テープに付された文字、図形、記号及び模様、のうちの少なくとも一が相違するよう構成されている。人は、多目的収納部３２と、一時保留部３３とを、テープを見て区別することができる。従って、多目的収納部３２を、誤って第１１配置部５１１１に配置してしまうこと、及び、一時保留部３３を、誤って第９及び第１０配置部５１９、５１１０に配置してしまうことを、防止することができる。役割が相違する多目的収納部３２及び一時保留部３３の配置位置を入れ替えてしまうと、紙幣処理装置１の動作に支障が生じてしまうが、そうした不具合の発生を、未然に防止することができる。
【０１１７】
また、多目的収納部３２は金庫筐体１３１の中に配置されているのに対し、一時保留部３３は上部筐体１１１の中に配置されている。そのため、多目的収納部３２及び一時保留部３３を取り違えることは、確実に回避することが望まれる。前述の通り、多目的収納部３２のテープと、一時保留部３３のテープとを、見て区別することが可能であれば、多目的収納部３２を上部筐体１１１の中に配置すること、及び、一時保留部３３を、金庫筐体１３１の中に配置することは、確実に回避することが可能になる。
【０１１８】
（第１〜第８の金種別収納部に係る構成例）
第１〜第８の金種別収納部３１１〜３１８はそれぞれ、第１〜第８配置部５１１〜５１８に対して着脱可能に取り付けられると共に、相互に、異なる配置部に配置することが可能である。
【０１１９】
紙幣処理装置１は、例えば第１〜第８の金種別収納部３１１〜３１８のテープが、テープの色、テープに付された文字、図形、記号及び模様、のうちの少なくとも一が相違するよう構成されている。人は、テープを見ることによって、第１〜第８の金種別収納部３１１〜３１８を区別することができる。第１〜第８の金種別収納部３１１〜３１８は全て、金庫筐体１３１の中に配置されているため取り違えやすいが、テープの識別性を向上させることによって、第１〜第８の金種別収納部３１１〜３１８を、誤って、異なる配置部に配置してしまうことが防止される。
【０１２０】
ここで、第１〜第８の金種別収納部３１１〜３１８のテープは全て、テープの色、テープに付された文字、図形、記号及び模様、のうちの少なくとも一が、互いに相違していてもよい。また、金庫筐体１３１の中の上側に配置される第１〜第４の金種別収納部３１１〜３１４のテープは、全て同じにすると共に、金庫筐体１３１の中の下側に配置される第５〜第８の金種別収納部３１５〜３１８のテープは、全て同じにする一方で、第１〜第４の金種別収納部３１１〜３１４のテープと、第５〜第８の金種別収納部３１５〜３１８のテープとは、テープの色、テープに付された文字、図形、記号及び模様、のうちの少なくとも一が相違するようにしてもよい。さらに、金庫筐体１３１の中の上側に配置される第１〜第４の金種別収納部３１１〜３１４のテープは、テープの色、テープに付された文字、図形、記号及び模様、のうちの少なくとも一が相違するようにし、金庫筐体１３１の中の下側に配置される第５〜第８の金種別収納部３１５〜３１８のテープは、テープの色、テープに付された文字、図形、記号及び模様、のうちの少なくとも一が相違するようにしてもよい。
【０１２１】
（第１及び第２の多目的収納部に係る構成例）
第１及び第２の多目的収納部３２１、３２２はそれぞれ、第９及び第１０配置部５１９〜５１１０に対して着脱可能に取り付けられると共に、相互に、異なる配置部に配置することが可能である。
【０１２２】
紙幣処理装置１は、例えば第１及び第２の多目的収納部３２１、３２２のテープが、テープの色、テープに付された文字、図形、記号及び模様、のうちの少なくとも一が相違するよう構成されている。人は、テープを見ることによって、第１及び第２の多目的収納部３２１、３２２を区別することができる。金庫筐体１３１の中に配置される第１及び第２の多目的収納部３１１〜３１８を、誤って、異なる配置部に配置してしまうこと、防止することができる。
【０１２３】
（紙幣処理装置の他の構成例（その１））
図８は、紙幣処理装置の他の構成例を示している。図８に示す紙幣処理装置１０１は、第１及び第２の多目的収納部３２１、３２２に代えて、大容量収納部３５を備えている。大容量収納部３５は、金庫筐体１３１の中に配置されている。大容量収納部３５は、接続路４１６を介して、ループ搬送路４１１に接続されている。大容量収納部３５は、例えば多目的収納部として用いてもよい。大容量収納部３５は、他の（金種別）収納部３１よりも、紙幣の最大収納容量が大きい。ここでは、他の収納部３１を、小容量収納部３１と呼ぶ場合がある。
【０１２４】
大容量収納部３５は、図３〜図７を参照しながら説明した収納機構７０、７０１〜７０３のいずれかを有するテープ式の収納モジュールによって構成されている。大容量収納部３５のテープ長は、小容量収納部３１のテープ長よりも長い。また、大容量収納部３５のテープ長は、一時保留部３３のテープ長よりも長い。
【０１２５】
例えば小容量収納部３１や一時保留部３３のテープを交換するときに、大容量収納部３５のテープを誤って、小容量収納部３１や一時保留部３３の収納部に取り付けてしまうと、テープ長の相違に起因する不具合が生じる。具体的には、小容量収納部３１や一時保留部３３において、紙幣を間に挟んでドラム７５に巻き取られるテープの径が大きくなり過ぎて、小容量収納部３１や一時保留部３３のフレームに接触してしまう、等の不具合が生じる。
【０１２６】
逆に、大容量収納部３５のテープを交換するときに、小容量収納部３１や一時保留部３３のテープを誤って、大容量収納部３５に取り付けてしまうと、大容量収納部３５の紙幣の最大収納容量が減ってしまう、という不都合が生じる。
【０１２７】
紙幣処理装置１０１は、例えば大容量収納部３５のテープと、小容量収納部３１のテープとが、テープの色、テープに付された文字、図形、記号及び模様、のうちの少なくとも一が相違するよう構成されている。人は、大容量収納部３５のテープと小容量収納部３１のテープとを、見て区別することができる。従って、小容量収納部３１に、大容量収納部３５のテープを取り付けてしまうこと、及び、大容量収納部３５に、小容量収納部３１のテープを取り付けてしまうことを、確実に防止することが可能になる。
【０１２８】
また、紙幣処理装置１０１は、例えば大容量収納部３５のテープと、一時保留部３３のテープとが、テープの色、テープに付された文字、図形、記号及び模様、のうちの少なくとも一が相違するよう構成されている。人は、大容量収納部３５のテープと一時保留部３３のテープとを、見て区別することができる。従って、一時保留部３３に、大容量収納部３５のテープを取り付けてしまうこと、及び、大容量収納部３５に、一時保留部３３のテープを取り付けてしまうことを、確実に防止することが可能になる。
【０１２９】
（紙幣処理装置の他の構成例（その２））
図９は、紙幣処理装置のさらに別の構成例を示している。図９に示す紙幣処理装置１０２は、第１及び第２の多目的収納部３２１、３２２に代えて、金庫外収納部３６を備えている。金庫外収納部３６は、図３〜図７を参照しながら説明した収納機構７０、７０１〜７０３のいずれかを有するテープ式の収納モジュール７によって構成されている。
【０１３０】
金庫外収納部３６は、上部筐体１１１及び金庫筐体１３１の外で、装置本体に対し、取り付け及び取り外し可能に構成されている。金庫外収納部３６は、着脱式収納部である。
【０１３１】
金庫外収納部３６は、例えば紙幣処理装置１０２の金庫筐体１３１の中に配置されている（金種別）収納部３１１〜３１８に紙幣を補充するときに、補充用の紙幣を収納するために用いられる。金庫外収納部３６はまた、例えば収納部３１１〜３１８から紙幣を回収するときに、回収した紙幣を収納するために用いられる。金庫外収納部３６の用途は、補充及び回収に限定されない。金庫外収納部３６は、必要なときにのみ、紙幣処理装置１０２に取り付けられる。
【０１３２】
紙幣処理装置１０２は、金庫外収納部３６を、装置本体に取り付けるための取付部２９を有している。取付部２９は、配置部の一例である。金庫外収納部３６を、取付部２９を介して紙幣処理装置１０２に取り付けると、金庫外収納部３６は、接続路４１６を介して、ループ搬送路４１１に接続される。尚、ここでは、金庫筐体１３１の中に配置されている収納部３１を、金庫内収納部３１と呼ぶ場合がある。
【０１３３】
金庫外収納部３６は、金庫筐体１３１の中の第１〜第８配置部５１１〜５１８に配置することが可能な形態を有している。また、金庫外収納部３６は、上部筐体１１１の中の第１１配置部５１１１に配置することが可能な形態を有している。
【０１３４】
紙幣処理装置１０２は、例えば金庫外収納部３６のテープと、金庫内収納部３１のテープとが、テープの色、テープに付された文字、図形、記号及び模様、のうちの少なくとも一が相違するよう構成されている。人は、金庫外収納部３６と、金庫内収納部３１とを、テープを見て区別することができる。従って、金庫外収納部３６を、誤って金庫筐体１３１の中の第１〜第８配置部５１１〜５１８に配置してしまうこと、及び、金庫内収納部３１を、誤って取付部２９を介して装置本体に取り付けてしまうことを、防止することができる。金庫外収納部３６及び金庫内収納部３１は役割が相違するため、コントローラー１５による制御が異なる。金庫外収納部３６及び金庫内収納部３１を、誤った位置に配置してしまうと、紙幣処理装置１０２の動作に支障が生じてしまうが、そうした不具合の発生を、未然に防止することができる。
【０１３５】
同様に、紙幣処理装置１０２は、例えば金庫外収納部３６のテープと、一時保留部３３のテープとが、テープの色、テープに付された文字、図形、記号及び模様、のうちの少なくとも一が相違するよう構成されている。人は、金庫外収納部３６と、一時保留部３３とを、テープを見て区別することができる。従って、金庫外収納部３６を、誤って上部筐体１１１の中の第１１配置部５１１１に配置してしまうこと、及び、一時保留部３３を、誤って取付部２９を介して装置本体に取り付けてしまうことを、防止することができる。
【０１３６】
また、金庫外収納部３６のテープ長と、金庫内収納部３１及び一時保留部３３のテープ長とが相違するときに、人は、金庫外収納部３６のテープと金庫内収納部３１及び一時保留部３３のテープとを、見て区別することができる。従って、金庫内収納部３１及び一時保留部３３に、金庫外収納部３６のテープを取り付けてしまうこと、及び、金庫外収納部３６に、金庫内収納部３１及び一時保留部３３のテープを取り付けてしまうことを、確実に防止することが可能になる。
【０１３７】
（紙幣処理装置の他の構成例（その３））
図１０は、紙幣処理装置のさらに別の構成例を示している。図１０に示す紙幣処理装置１０３は、上部筐体１１１の中に、上部収納部３７を備えている。上部収納部３７は、様々な用途に用いることが可能である。上部収納部３７は、接続路４１７を介して、ループ搬送路４１１に接続されている。上部収納部３７は、図３〜図７を参照しながら説明した収納機構７０、７０１〜７０３のいずれかを有するテープ式の収納モジュール７によって構成されている。上部収納部３７は、第１２配置部５１１２に、着脱可能に配置されている。上部収納部３７はまた、第１〜第１１配置部５１１〜５１１１に配置することが可能な形態を有している。
【０１３８】
紙幣処理装置１０３は、例えば上部収納部３７のテープと、一時保留部３３のテープとが、テープの色、テープに付された文字、図形、記号及び模様、のうちの少なくとも一が相違するよう構成されている。人は、上部収納部３７と、一時保留部３３とを、テープを見て区別することができる。上部収納部３７及び一時保留部３３は共に、上部筐体１１１の中に配置されているが、上部収納部３７を、誤って上部筐体１１１の中の第１１配置部５１１１に配置してしまうこと、及び、一時保留部３３を、誤って第１２配置部５１１２に配置してしまうことを、防止することができる。
【０１３９】
同様に、紙幣処理装置１０３は、例えば上部収納部３７のテープと、金種別収納部３１のテープとが、テープの色、テープに付された文字、図形、記号及び模様、のうちの少なくとも一が相違するよう構成されている。また、紙幣処理装置１０３は、例えば上部収納部３７のテープと、多目的収納部３２のテープとが、テープの色、テープに付された文字、図形、記号及び模様、のうちの少なくとも一が相違するよう構成されている。人は、上部収納部３７と、金種別収納部３１及び多目的収納部３２とを、テープを見て区別することができる。従って、上部収納部３７を、誤って金庫筐体１３１の中の第１〜第１０配置部５１１〜５１１０に配置してしまうこと、及び、金種別収納部３１及び多目的収納部３２を、誤って上部筐体１１１の中の第１２配置部５１１２に配置してしまうことを、防止することができる。
【０１４０】
また、上部収納部３７のテープ長と、一時保留部３３、金種別収納部３１及び多目的収納部３２のテープ長とが相違するときに、人は、上部収納部３７のテープと一時保留部３３、金種別収納部３１及び多目的収納部３２のテープとを、見て区別することができる。従って、一時保留部３３、金種別収納部３１及び多目的収納部３２に、上部収納部３７のテープを取り付けてしまうこと、及び、上部収納部３７に、一時保留部３３、金種別収納部３１及び多目的収納部３２のテープを取り付けてしまうことを、確実に防止することが可能になる。
【０１４１】
（紙幣処理装置の他の構成例（その４））
図１１は、紙幣処理装置のさらに別の構成例を示している。図１１に示す紙幣処理装置１０４は、多目的収納部３２に代えて、デュアルタイプの収納部（つまり、紙葉類収納装置）６を備えている。デュアルタイプの収納部６は、フレーム６３の中に、第１収納機構（つまり、収納部の一例）６１と、第２収納機構（つまり、収納部の一例）６２との２つの収納機構を収容している。第１収納機構６１及び第２収納機構６２はそれぞれ、前述した図４〜図７のいずれかの構成を有している。第１収納機構６１及び第２収納機構６２は、互いに独立して、紙幣を収納したり、紙幣を繰り出したりすることが可能である。
【０１４２】
デュアルタイプの収納部６において、第１収納機構６１及び第２収納機構６２は共に、多目的収納部として用いてもよい。また、第１収納機構６１及び第２収納機構６２のいずれか一方は、金種別収納部として用い、他方は、多目的収納部として用いてもよい。尚、第１収納機構６１及び第２収納機構６２の役割は、これらに限定されるものではない。第１収納機構６１及び第２収納機構６２は同じ役割であってもよいし、異なる役割であってもよい。
【０１４３】
デュアルタイプの収納部６において、第１収納機構６１及び第２収納機構６２に収納する紙幣は、種類が同じであってもよいし、種類が異なっていてもよい。ここで言う種類には、例えば、金種、正券又は損券、真券又は偽券（擬偽券を含む）、新券又は旧券が含まれる。
【０１４４】
この例では、第１収納機構６１及び第２収納機構６２のうち、第２収納機構６２の方が、収納容量が大きくなっている。従って、第１収納機構６１のテープと、第２収納機構６２のテープとを比較したときに、第２収納機構６２のテープの方が、第１収納機構６１のテープよりも長い。
【０１４５】
デュアルタイプの収納部６では、第１収納機構６１のテープと、第２収納機構６２のテープとが、テープの色、テープに付された文字、図形、記号及び模様、のうちの少なくとも一が相違している。人は、第１収納機構６１のテープと、第２収納機構６２のテープとを、見て区別することができる。従って、デュアルタイプの収納部６において、第１収納機構６１のテープを交換するときに、誤って第２収納機構６２のテープを、第１収納機構６１に取り付けてしまうこと、及び、第２収納機構６２のテープを交換するときに、誤って第１収納機構６１のテープを、第２収納機構６２に取り付けてしまうこと、を防止することができる。テープの取り違いに起因する不具合の発生を、未然に回避することが可能になる。
【０１４６】
尚、図１１の構成例において、デュアルタイプの収納部６のテープと、金種別収納部３１のテープとが、テープの色、テープに付された文字、図形、記号及び模様、のうちの少なくとも一が相違するようにしてもよい。また、デュアルタイプの収納部６のテープと、多目的収納部３２のテープとが、テープの色、テープに付された文字、図形、記号及び模様、のうちの少なくとも一が相違するようにしてもよい。さらに、デュアルタイプの収納部６のテープと、一時保留部３３のテープとが、テープの色、テープに付された文字、図形、記号及び模様、のうちの少なくとも一が相違するようにしてもよい。
【０１４７】
（その他の構成例）
テープ式の収納モジュール７に用いるテープは、例えばポリエステル製である。テープの材質は、全てのテープ式の収納モジュール７において同じでなくてもよい。テープの材質に応じて、テープの色、テープに付された文字、図形、記号及び模様、のうちの少なくとも一を変更してもよい。こうすることで、人は、テープの材質の違いを、色等の違いによって見て認識することができる。テープを交換するときに、誤って異なる材質のテープを、収納機構に取り付けてしまうことが防止される。
【０１４８】
収納機構のテープを交換したときに、紙幣処理装置は、正しいテープが取り付けられたか否かを確認するための確認動作を行うようにしてもよい。テープの交換時に確認動作を行うことによって、指定外のテープが取り付けられたときに、紙幣処理装置は、そのことを、速やかに把握することが可能になる。
【０１４９】
テープの確認動作は、収納機構のセンサ７８を利用し、テープの遮光度合いを検知することによって行ってもよい。つまり、収納機構に取り付けられるテープは、例えばその長さや材質等に応じて、少なくとも所定の箇所における遮光度合いが異なるとする。
【０１５０】
テープを交換した時に、センサ７８は、発光部が発光した発光量と、受光部が受光した受光量とに基づいて、交換後のテープの遮光度合いを検知する。コントローラー１５は、ストレージ２５に予め記憶されている、当該収納機構用のテープの遮光度合いと、センサ７８が検知したテープの遮光度合いとを比較する。遮光度合いを比較することによって、コントローラー１５は、正しいテープが取り付けられたか否かを確認することができる。
【０１５１】
テープの確認動作はまた、収納機構のセンサ７８を利用し、テープに付された模様のパターンを検知することによって行ってもよい。つまり、収納機構に取り付けられるテープは、例えばその長さや材質等に応じて、少なくとも所定の箇所に、特定のパターンの模様が付されているとする。これにより、テープを走行した時に、センサ７８の透光及び遮光が特定のパターンで切り替わる。
【０１５２】
テープを交換した時に、センサ７８は、テープを走行させながら透光及び遮光のパターンを検知する。コントローラー１５は、ストレージ２５に予め記憶されている、当該収納機構用のテープの模様のパターンと、センサ７８が検知したテープの模様のパターンとを比較する。模様のパターンを比較することによって、コントローラー１５は、正しいテープが取り付けられたか否かを確認することができる。
【０１５３】
テープの確認動作はまた、テープの長さを検知することによって行ってもよい。つまり、テープを交換した時に、収納機構は、ドラムを回転させることによって、テープリールに巻き付けられたテープを、全て引き出してドラムに巻き付ける。コントローラー１５は、テープの引き出しに要する時間を検知すると共に、ストレージ２５に予め記憶されている、当該収納機構用のテープの長さ（つまり、引き出しに要する時間）と、検知した時間とを比較する。テープの長さを比較することによって、コントローラー１５は、正しいテープが取り付けられたか否かを確認することができる。
【０１５４】
テープの確認動作の結果、指定外のテープが収納機構に取り付けられているときには、コントローラー１５は、例えば表示部２６に、又は、端末機１６に、その旨を表示するようにしてもよい。こうすることで、紙幣処理装置は、人に、正しいテープに交換することを促す。
【０１５５】
ここで、テープの確認動作の結果、テープの遮光度合いが、ストレージ２５に記憶されているテープの遮光度合いとは異なっていたとき（但し、当該テープは、正しいテープとして用いることが可能な場合）、コントローラー１５は、センサ７８の検知態様を変更するようにしてもよい。つまり、テープの遮光度合いが相対的に高いときには、発光部の発光量を高めたり、受光部の受光感度を下げたりしてもよい。逆に、テープの遮光度合いが相対的に低いときには、発光部の発光量を下げたり、受光部の受光感度を高めたりしてもよい。こうすることで、センサ７８は、適切にテープを検知することができるようになる。尚、センサ７８の検知態様を変更する代わりに、センサ７８の検知信号を受けたコントローラー１５の制御態様を、変更するように構成してもよい。
【０１５６】
また、前述した構成では、複数のテープ式の収納モジュール７の間において、又は、デュアルタイプの収納部６では、複数の収納機構間において、テープの色、テープに付された文字、図形、記号及び模様、のうちの少なくとも一を相違させている。これに加えて、一つのテープ式の収納モジュール７の中の複数のテープ、及び、デュアルタイプの収納部６では、一つの収納機構における複数のテープについて、テープの色、テープに付された文字、図形、記号及び模様、のうちの少なくとも一を相違させるようにしてもよい。こうすることで、人は、一つの収納機構における複数のテープを、見て区別することが可能になる。例えば、収納部においてジャムが発生して複数のテープが絡まったとき等に、テープの絡まりを速やかに解消することが可能になる。つまり、収納部のメンテナンス性が向上する。
【０１５７】
例えば、図４に示すような、４本のテープを有する収納機構７０では、テープ７１及びテープ７４をそれぞれ赤色に着色し、テープ７２及びテープ７３をそれぞれ黒色に着色してもよい。赤色と黒色とを入れ替えてもよい。これにより、人は、二対のテープ７１〜７４を見分けやすくなる。尚、色の組み合わせは一例である。
【０１５８】
例えば、図５に示すような、２本のテープを有する収納機構７０１では、テープ７１及びテープ７２のいずれか一方を赤色に着色し、他方を黒色に着色してもよい。これにより、人は、２本のテープ７１、７２を見分けやすくなる。尚、色の組み合わせは一例である。
【０１５９】
例えば、図６に示すような、３本のテープを有する収納機構７０２では、テープ７１を赤色に着色し、テープ７２を無色透明又は青色に着色し、テープ７３を黒色に着色してもよい。尚、テープ７１〜７３の色の組み合わせは、変更してもよい。これにより、人は、３本のテープ７１〜７３を見分けやすくなる。
【０１６０】
例えば、図７に示すような、２本のテープを有する収納機構７０３では、テープ７１を赤色に着色し、テープ７２を黒色に着色してもよい。テープ７１、７２の色を入れ替えてもよい。色の組み合わせは一例である。これにより、人は、２本のテープ７１、７２を見分けやすくなる。
【０１６１】
尚、ここに開示する技術が適用可能な紙幣処理装置の構成は、前述した構成に限らない。前述した紙幣処理装置１、１０１〜１０４は、収納部が全て、テープ式の収納モジュール７によって構成されている。例えば図１２に示すように、紙幣処理装置１０５の一部の収納部３８１〜３８７は、スタック式の収納部であってもよい。尚、前述した紙幣処理装置１等において、対応する構成要素には同じ符号を付している。スタック式の収納部のうち、容量の小さい収納部３８１〜３８６は、金種別収納部である。また、容量の大きいスタック式の収納部３８７は、多目的収納部である。
【０１６２】
紙幣処理装置１０５は、金庫筐体１３１の中に、テープ式の収納モジュールによって構成される収納部３９１、３９２を二つ備えている。収納部３９１、３９２はそれぞれ、第１３配置部５１１３、及び、第１４配置部５１１４に、着脱可能に、配置されている。収納部３９１、３９２は、一時保留部３３と同じ大きさであり、略同じ形態を有している。収納部３９１、３９２の一つは、例えば、複数の金種の紙幣を混合して収納する混合収納部としてもよい。また、収納部３９１、３９２の一つは、例えば損券を収納する損券収納部としてもよい。
【０１６３】
上部筐体１１１の中の一時保留部３３と、金庫筐体１３１の中の収納部３９１、３９２とは、前後方向について、同じ位置に配設されている。すなわち、図１２に二点鎖線で示すように、一時保留部３３と収納部３９１、３９２とは、紙幣処理装置１０５における後部において、上下方向に並んで配設されている。同じ大きさの収納部を、上下に並べて配置することによって、紙幣処理装置１０５のコンパクト化に有利になる。尚、一時保留部３３と収納部３９１、３９２とは、前後方向に、多少、位置がずれていてもよい。
【０１６４】
この紙幣処理装置１０５では、収納部３９１、３９２のテープと、一時保留部３３のテープとが、テープの色、テープに付された文字、図形、記号及び模様、のうちの少なくとも一が相違するように構成してもよい。また、収納部３９１、３９２のテープと、金庫外収納部３６のテープとが、テープの色、テープに付された文字、図形、記号及び模様、のうちの少なくとも一が相違するように構成してもよい。また、一時保留部３３のテープと、金庫外収納部３６のテープとが、テープの色、テープに付された文字、図形、記号及び模様、のうちの少なくとも一が相違するように構成してもよい。また、収納部３９１のテープと、収納部３９２のテープとが、テープの色、テープに付された文字、図形、記号及び模様、のうちの少なくとも一が相違するように構成してもよい。
【０１６５】
さらに、各収納部３９１、３９２、一時保留部３３及び金庫外収納部３６のそれぞれにおける収納機構の複数のテープについて、テープの色、テープに付された文字、図形、記号及び模様、のうちの少なくとも一が相違するように構成してもよい。
【０１６６】
尚、紙幣処理装置１０５において、符号２２は、第２出金部であり、符号２２１は、第２出金部の出金口である。
【０１６７】
尚、紙幣処理装置１０５において、大容量のテープ式の収納モジュールを備えるようにしてもよいし、デュアルタイプの収納部を備えるようにしてもよい。また、金庫外収納部３６を省略してもよい。
【０１６８】
前述した各構成例は、一つの紙幣処理装置に、全てが含まれるとは限らない。紙幣処理装置は、前述した構成例の少なくとも一を含んでいればよい。前述した構成例は、任意の数で、組み合わせることが可能である。
【０１６９】
ここに開示する技術は、紙幣処理装置に適用されることに限らない。ここに開示する技術は、例えば小切手、商品券、及び、各種の有価証券を含む紙葉類を処理する紙葉類処理装置に、広く適用することが可能である。
【符号の説明】
【０１７０】
１  紙幣処理装置（紙葉類処理装置）
１０１  紙幣処理装置（紙葉類処理装置）
１０２  紙幣処理装置（紙葉類処理装置）
１０３  紙幣処理装置（紙葉類処理装置）
１０４  紙幣処理装置（紙葉類処理装置）
１０５  紙幣処理装置（紙葉類処理装置）
１１１  上部筐体
１３１  金庫筐体
２９  取付部（配置部）
３１  金種別収納部、金庫内収納部、小容量収納部（第１収納部、第２収納部、種類別収納部）
３２  多目的収納部（第１収納部、第２収納部）
３３  一時保留部（第１収納部、第２収納部）
３５  大容量収納部（第１収納部、第２収納部）
３６  金庫外収納部（第１収納部、第２収納部）
３７  上部収納部（第１収納部、第２収納部）
３９１、３９２  収納部（第１収納部、第２収納部）
５１  配置部
６  デュアルタイプの収納部（紙葉類収納装置）
６１  第１収納機構（第１収納部）
６２  第２収納機構（第２収納部）
６３  フレーム
７  テープ式の収納モジュール
７０  収納機構
７０１〜７０３  収納機構
７１〜７４  テープ
７５  ドラム
【図１】
2018036892.tif 000003
【図２】
2018036892.tif 000004
【図３】
2018036892.tif 000005
【図４】
2018036892.tif 000006
【図５】
2018036892.tif 000007
【図６】
2018036892.tif 000008
【図７】
2018036892.tif 000009
【図８】
2018036892.tif 000010
【図９】
2018036892.tif 000011
【図１０】
2018036892.tif 000012
【図１１】
2018036892.tif 000013
【図１２】
2018036892.tif 000014